(57)【特許請求の範囲】
【請求項１】
流動媒体循環エレベータの頂部の流動媒体出口に、流動媒体取出しダクトが外方下向きに傾斜して接続され、取出しダクトの長さの中間部の傾斜状下壁に、流動媒体排出口が設けられて、排出口に流動媒体落下用分岐ダクトが接続されるとともに、排出口に針金等不燃物引掛け用丸棒スクリーンが、取出しダクトの傾斜状下壁と同じ傾斜角度でかつ相互に所定間隔をおいて渡し止められ、取出しダクトの下端部に針金等不燃物貯留ダクトが接続されて、貯留ダクトの底部に開閉ダンパが設けられていることを特徴とする、流動床式焼却炉における流動媒体循環装置。
【請求項２】
針金等不燃物引掛け用丸棒スクリーンに対向する取出しダクトの傾斜状上壁部分に、扉付き点検口が設けられている、請求項１記載の流動床式焼却炉における流動媒体循環装置。
【発明の詳細な説明】
【０００１】
【発明の属する技術分野】
本発明は、流動床式焼却炉における流動媒体循環装置に関する。
【０００２】
【従来の技術】
従来、流動床式焼却炉の下部より排出される不燃物および流動媒体（流動砂）からなる焼却済み混合物を抜き出す抜き出し装置と、焼却済み混合物を篩って不燃物と流動媒体とに分級する分級装置と、流動媒体を再使用のために焼却炉に戻す流動媒体循環エレベータとにより構成される流動媒体循環機構を有する流動床式焼却炉は、既に知られている。
【０００３】
このような従来の流動床式焼却炉から排出される不燃物には、針金等の長物が含まれており、これらが流動砂分級装置の開口隙間をパスして、流動砂循環エレベータの上部に堆積し、流動媒体循環経路を閉塞するという問題があった。
【０００４】
このような問題を解決するために、従来は、流動媒体循環エレベータの頂部の流動媒体出口に、流動媒体取出しダクトが外方下向きに傾斜して接続され、この取出しダクトの上部に丸棒スクリーンが水平状に取り付けられて、丸棒スクリーンに引っ掛かる針金等不燃物を、点検口より作業員により除去していた。
【０００５】
【発明が解決しようとする課題】
しかしながら、このような従来の装置では、丸棒スクリーンが水平状に取り付けられているため、丸棒スクリーンに引っ掛かる針金等不燃物の量が非常に多く、これを除去する保守作業を頻繁に行なう必要があり、非常に面倒で、手間がかかり、しかも保守作業を行なう際には、循環エレベータを停止させる必要があり、場合によっては、焼却炉の運転を停止することもあった。そのうえ、針金等の不燃物を人手により除去するため、衛生的でなく、安全性に欠けるという問題があった。
【０００６】
本発明の目的は、上記の従来技術の問題を解決し、流動媒体循環エレベータの頂部の流動媒体出口に接続された流動媒体取出しダクトにおける丸棒スクリーンに引っ掛かる針金等不燃物の量が少なく、従ってこれを除去する保守作業の頻度を大幅に低減することができて、焼却炉の連続運転が確保され、しかも針金等の不燃物を収納パンにまとめて取り出すことができて、人手によらずに除去することができ、衛生的で、安全性が非常に高い、流動床式焼却炉における流動媒体循環装置を提供しようとすることにある。
【０００７】
【課題を解決するための手段】
上記の目的を達成するために、本発明の流動床式焼却炉における流動媒体循環装置は、流動媒体循環エレベータの頂部の流動媒体出口に、流動媒体取出しダクトが外方下向きに傾斜して接続され、取出しダクトの長さの中間部の傾斜状下壁に、流動媒体排出口が設けられて、排出口に流動媒体落下用分岐ダクトが接続されるとともに、排出口に針金等不燃物引掛け用丸棒スクリーンが、取出しダクトの傾斜状下壁と同じ傾斜角度でかつ相互に所定間隔をおいて渡し止められ、流動媒体取出しダクトの下端部に針金等不燃物貯留ダクトが接続されて、貯留ダクトの底部に開閉ダンパが設けられていることを特徴としている。
【０００８】
上記において、針金等不燃物引掛け用丸棒スクリーンに対向する取出しダクトの傾斜状上壁部分に、扉付き点検口が設けられていることが、望ましい。
【０００９】
【発明の実施の形態】
つぎに、本発明の実施の形態を、図面を参照して説明する。
【００１０】
図面を参照すると、流動床式焼却炉（図示略）の下部より排出される不燃物および流動砂は、振動式篩機等の分級装置によって分級され、流動砂は、再使用のために流動砂循環エレベータ(1) により焼却炉に戻される。このような流動床式焼却炉から排出される不燃物には針金等の長物が含まれており、これらが流動砂分級装置の開口隙間をパスして、流動砂循環エレベータ(1) の上部に堆積し、流動砂循環経路を閉塞する。
【００１１】
これを防止するために、本発明では、流動砂循環エレベータ(1) の頂部の流動砂出口に、横断面略方形の流動砂取出しダクト(2) が外方下向きに傾斜して接続され、取出しダクト(2) の長さの中間部の傾斜状下壁(2a)に、流動砂排出口(3) が設けられている。
【００１２】
そして、この排出口(3) に、上向きラッパ状の流動砂落下用分岐ダクト(4) が接続されるとともに、排出口(3) に３本の針金等不燃物引掛け用丸棒スクリーン(12)が、取出しダクト(2) の傾斜状下壁(2a)と同じ傾斜角度でかつ相互に所定間隔をおいて平行状に渡し止められている。
【００１３】
流動砂取出しダクト(2) の下端部(5) には、針金等不燃物貯留ダクト(6) が垂下状に接続されて、貯留ダクト(6) の底部に開閉ダンパ(8) が設けられるとともに、開閉ダンパ(8) の下方に収納パン(7) が配置されている。
【００１４】
上向きラッパ状の流動砂落下用分岐ダクト(4) の下端部にはシールダンパ(9) が接続され、シールダンパ(9) を通過した流動砂は、焼却炉に戻される。
【００１５】
針金等不燃物引掛け用丸棒スクリーン(12)に対向する取出しダクト(2) の傾斜状上壁(2b)部分に、扉(16)付き点検口(15)が設けられている。
【００１６】
なお、流動砂循環エレベータ(1) の頂部の流動砂出口に近い取出しダクト(2) の傾斜状上壁(2b)に、扉(14)付き点検口(13)が設けられるとともに、針金等不燃物貯留ダクト(6) の上方の取出しダクト(2) の傾斜状上壁(2b)にも、扉(18)付き点検口(17)が設けられている。
【００１７】
上記流動砂循環装置においては、流動砂循環エレベータ(1) の頂部の流動砂出口に接続された流動砂取出しダクト(2) の長さの中間部の傾斜状下壁(2a)に、流動砂排出口(3) が設けられ、この排出口(3) に３本の針金等不燃物引掛け用丸棒スクリーン(12)が、取出しダクト(2) の傾斜状下壁(2a)と同じ傾斜角度でかつ相互に所定間隔をおいて平行状に渡し止められているから、循環エレベータ(1) の頂部の流動砂出口から取出しダクト(2) 内に導入された流動砂は、取出しダクト(2) 内を傾斜状下壁(2a)に沿って流下し、ダクト(2) の途中の排出口(3) において、丸棒スクリーン(12)同士の間の間隙から分岐ダクト(4) 内に落下する。
【００１８】
これに対し、循環流動砂に含まれる針金等不燃物は、排出口(3) において丸棒スクリーン(12)に引っ掛って、そのまま通過し、取出しダクト(2) の下端部(5) に接続された貯留ダクト(6) 内にすべり落ちる。そして、針金等不燃物がある程度溜まると、開閉ダンパ(8) を開いて、針金等不燃物を下方の収納パン(7) 内に落下させて収集する。また、万一の針金等不燃物による詰まり防止のために、扉付き点検口(13)(15)(17)が３箇所設けられているが、これらのうち上下２つの点検口(13)(17)は、省略することができる。
【００１９】
本発明による流動砂循環装置によれば、流動砂取出しダクト(2) における丸棒スクリーン(12)に引っ掛かる針金等不燃物の量が少なく、従ってこれを除去する保守作業の頻度を大幅に低減することができて、焼却炉の連続運転が可能である。しかも針金等不燃物を収納パン(7) にまとめて取り出すことができて、人手によらずに除去することができるとともに、針金等不燃物は、収納パン(7) に入れた状態で外部に搬出することが可能であり、従って、非常に衛生的であり、安全性が高いものである。
【００２０】
【発明の効果】
本発明による流動床式焼却炉における流動媒体循環装置は、上述の次第で、流動媒体循環エレベータの頂部の流動媒体出口に、流動媒体取出しダクトが外方下向きに傾斜して接続され、取出しダクトの長さの中間部の傾斜状下壁に、流動媒体排出口が設けられて、排出口に流動媒体落下用分岐ダクトが接続されるとともに、排出口に針金等不燃物引掛け用丸棒スクリーンが、取出しダクトの傾斜状下壁と同じ傾斜角度でかつ相互に所定間隔をおいて渡し止められ、流動媒体取出しダクトの下端部に針金等不燃物貯留ダクトが接続されて、貯留ダクトの底部に開閉ダンパが設けられているもので、本発明によれば、流動媒体循環エレベータの頂部の流動媒体出口に接続された流動媒体取出しダクトにおける丸棒スクリーンに引っ掛かる針金等不燃物の量が少なく、従ってこれを除去する保守作業の頻度を大幅に低減することができて、焼却炉の連続運転が確保され、しかも針金等の不燃物を収納パンにまとめて取り出すことができて、人手によらずに除去することができ、衛生的で、安全性が非常に高いという効果を奏する。
【図面の簡単な説明】
【図１】本発明の実施形態を示す流動媒体循環装置の要部縦断面図である。
【図２】図１のIIーII線に沿う拡大断面図である。
【符号の説明】
１      流動砂循環エレベータ（流動媒体循環エレベータ）
２      流動砂取出しダクト（流動媒体取出しダクト）
２ａ    取出しダクトの傾斜状下壁
２ｂ    取出しダクトの傾斜状上壁
３      流動砂排出口（流動媒体排出口）
４      流動砂落下用分岐ダクト（流動媒体落下用分岐ダクト）
５      取出しダクトの下端部
６      針金等不燃物貯留ダクト
７      収納パン
８      開閉ダンパ
９      シールダンパ
１２    針金等不燃物引掛け用丸棒スクリーン
１５    点検口
１６    扉
【図１】
0003682545.tif 000002
【図２】
0003682545.tif 000003